(57)【要約】【解決手段】互いにヘア挿入空間７をあけて並設した複数の櫛歯５を有する櫛部２と、互いに隣接する両櫛歯５間のヘア挿入空間７に隣接して設けた刃縁を有する刃体３とを備えている。櫛歯５でその基端部から先端部にわたりヘア挿入空間７に隣接して延びる端縁部には、ヘア挿入空間７に隣接して突出する複数の補助歯１２をその基端部から先端部にわたる方向Ｙに沿うように互いに隙間をあけて並設している。互いに隣接する両補助歯１２間の隙間に刃体３の刃縁を露出させるとともに、補助歯１２には刃縁からヘア挿入空間７に隣接して突出する延設部を設けている。両補助歯１２間の隙間で互いに隣接する両補助歯１２の延設部と刃体３の刃縁との間でヘア挿入凹部をヘア挿入空間７に連通するように設けている。【効果】ヘア挿入空間７に入り込むことができる髪の毛の量を多くして、ヘアカッターの一度の切断動作により切断し得る髪の毛の量を多くする。【選択図】図１
2006280490.tif 000002
【特許請求の範囲】
【請求項１】
互いにヘア挿入空間をあけて並設した複数の櫛歯を有する櫛部と、互いに隣接する両櫛歯間のヘア挿入空間に隣接して設けた刃縁を有する刃体とを備えたヘアカッターにおいて、
前記櫛歯でその基端部から先端部にわたりヘア挿入空間に隣接して延びる端縁部には、ヘア挿入空間に隣接して突出する複数の補助歯をその基端部から先端部にわたる方向に沿うように互いに隙間をあけて並設し、
互いに隣接する両補助歯間の隙間に前記刃体の刃縁を露出させるとともに、この補助歯にはこの刃縁からヘア挿入空間に隣接して突出する延設部を設け、この両補助歯間の隙間で互いに隣接する両補助歯の延設部と刃体の刃縁との間でヘア挿入凹部をヘア挿入空間に連通するように設けた
ことを特徴とするヘアカッター。
【請求項２】
前記補助歯の延設部は、前記刃体の刃縁から離間するに従い前記櫛歯の先端部側へ延びるように前記刃体の刃縁に対し傾斜していることを特徴とする請求項１に記載のヘアカッター。
【請求項３】
前記刃体は薄い板状の刃板であり、前記櫛歯はこの刃板を挟着する薄い板状の歯板を有し、前記ヘア挿入空間は互いに隣接する両歯板間に設けられ、この歯板で厚み方向の両側面は各歯板の並設方向に対し傾斜していることを特徴とする請求項１または請求項２に記載のヘアカッター。
【請求項４】
前記櫛部と刃体とを備えた櫛頭部は、把持柄に対し着脱可能に支持されていることを特徴とする請求項１または請求項２または請求項３に記載のヘアカッター。
【請求項５】
前記櫛部は、各櫛歯及び刃体を有する可動部と、この可動部を支持する取付部とを備え、この取付部に対する可動部の位置を変更することにより刃体の刃縁の向きを変更可能にしたことを特徴とする請求項１から請求項４のうちいずれかの請求項に記載のヘアカッター。
【発明の詳細な説明】
【技術分野】
【０００１】
本発明は、櫛部の各櫛歯間のヘア挿入空間に隣接して設けた刃縁を有する刃体を備えたヘアカッターに関するものである。
【背景技術】
【０００２】
従来のヘアカッターとしては、例えば、下記特許文献１に記載のものや図１６（ａ）に示すものが知られている。図１６（ａ）に示すヘアカッターにおいては、複数の櫛歯５が互いにヘア挿入空間７をあけて並設され、互いに隣接する両櫛歯５間のヘア挿入空間７に刃体３の刃縁３ａが露出して各櫛歯５の延設方向に対し直交する方向へ延設されている。図１６（ｂ）に示すように、従来のヘアカッターの各櫛歯５を頭部に当てがうと、多数の髪の毛Ｈがヘア挿入空間７に入り込む。そのヘアカッターを下方へ移動させると、ヘア挿入空間７に入り込んだ髪の毛Ｈの一部を刃縁３ａにより切ることができる。
【特許文献１】実開平１−９２９８２号公報
【発明の開示】
【発明が解決しようとする課題】
【０００３】
しかし、ヘア挿入空間７に入り込んだ髪の毛Ｈは刃縁３ａに当たるため、髪の毛Ｈを入り込ませることができるヘア挿入空間７の深さＷは各櫛歯５の長さよりも小さくなり、ヘア挿入空間７に入り込むことができる髪の毛Ｈの量は制限される。そのため、ヘアカッターの一度の切断動作により切断することができる髪の毛Ｈの量は少なくなる。
【０００４】
この発明は、ヘア挿入空間に入り込むことができる髪の毛の量を多くして、ヘアカッターの一度の切断動作により切断し得る髪の毛の量を多くすることを目的としている。
【課題を解決するための手段】
【０００５】
後記実施形態の図面（図１〜２及び図１５に示す第１実施形態、図３に示す第２実施形態、図４に示す第３実施形態、図５に示す第４実施形態、図６に示す第５実施形態、図７〜８に示す第６実施形態、図９〜１１に示す第７実施形態、図１２に示す第８実施形態、図１３に示す第９実施形態、図１４に示す第１０実施形態、）の符号を援用して本発明を説明する。
【０００６】
請求項１の発明にかかるヘアカッターは、第１〜１０実施形態に対応し、下記のように構成されている。
このヘアカッターは、互いにヘア挿入空間７をあけて並設した複数の櫛歯５を有する櫛部２と、互いに隣接する両櫛歯５間のヘア挿入空間７に隣接して設けた刃縁３ａを有する刃体３とを備えている。前記櫛歯５でその基端部５ａから先端部５ｂにわたりヘア挿入空間７に隣接して延びる端縁部には、ヘア挿入空間７に隣接して突出する複数の補助歯１２をその基端部５ａから先端部５ｂにわたる方向Ｙに沿うように互いに隙間Ｓをあけて並設している。互いに隣接する両補助歯１２間の隙間Ｓに前記刃体３の刃縁３ａを露出させるとともに、この補助歯１２にはこの刃縁３ａからヘア挿入空間７に隣接して突出する延設部１２ａを設け、この両補助歯１２間の隙間Ｓで互いに隣接する両補助歯１２の延設部１２ａと刃体３の刃縁３ａとの間でヘア挿入凹部１５をヘア挿入空間７に連通するように設けている。
【０００７】
請求項１の発明では、ヘアカッターの各櫛歯５を頭部に当てがうと、多数の髪の毛Ｈを櫛歯５の端縁部及び刃体３の刃縁３ａに沿って櫛歯５の基端部５ａまで刃体３の刃縁３ａに邪魔されることなくヘア挿入空間７に入り込ませることができる。そのため、前述した従来のヘアカッターと比較して、櫛歯５の長さが同じ場合でも、髪の毛Ｈを入り込ませることができるヘア挿入空間７の深さＷを大きくすることができる。さらに、このヘア挿入空間７に入り込んだ髪の毛Ｈをヘア挿入空間７から櫛歯５のヘア挿入凹部１５に分けて入り込ませて保持するので、ヘアカッターによる切断動作時に髪の毛Ｈがヘア挿入空間７から逃げにくくなり、ヘア挿入空間７に入り込んだ髪の毛Ｈを刃体３の刃縁３ａに対し確実に当てることができる。
【０００８】
請求項１の発明を前提とする請求項２の発明（第１〜２実施形態に対応）において、前記補助歯１２の延設部１２ａは、前記刃体３の刃縁３ａから離間するに従い前記櫛歯５の先端部５ｂ側へ延びるように前記刃体３の刃縁３ａに対し傾斜している。請求項２の発明では、ヘア挿入空間７に入り込んだ髪の毛Ｈをヘア挿入空間７から櫛歯５のヘア挿入凹部１５に分けて入り込ませ易くなる。
【０００９】
請求項１または請求項２の発明を前提とする請求項３の発明（第１〜２実施形態に対応）において、前記刃体３は薄い板状の刃板であり、前記櫛歯５はこの刃板を挟着する薄い板状の歯板８を有し、前記ヘア挿入空間７は互いに隣接する両歯板８間に設けられ、この歯板８で厚み方向の両側面８ａは各歯板８の並設方向Ｘ８に対し傾斜している。請求項３の発明では、ヘアカッターによる切断操作を行い易くなる。
【００１０】
請求項１または請求項２または請求項３の発明を前提とする請求項４の発明（第１〜１０実施形態に対応）において、前記櫛部２と刃体３とを備えた櫛頭部１は、把持柄４に対しそれらの着脱連結部９，１０，１１で着脱可能に支持されている。請求項４の発明では、刃体３の向きなどを変更した各種の櫛頭部１を用意し、各種の櫛頭部１のうち必要に応じて一つの櫛頭部１を選択して一つの把持柄４に対し付け替えることができる。
【００１１】
請求項１から請求項４のうちいずれかの請求項の発明を前提とする請求項５の発明（第６〜７実施形態に対応）において、前記櫛部２は、各櫛歯５及び刃体３を有する可動部１７と、この可動部１７を支持する取付部６とを備え、この取付部６に対する可動部１７の位置を変更することにより刃体３の刃縁３ａの向きを変更可能にした。請求項５の発明では、ヘアカッターを当てがう頭部の位置に応じて可動部１７の位置を変更することにより、ヘアカッターによる切断操作を行い易くなる。
【発明の効果】
【００１２】
本発明は、ヘアカッターにおいてヘア挿入空間７に入り込むことができる髪の毛Ｈの量を多くして、ヘアカッターの一度の切断動作により切断し得る髪の毛Ｈの量を多くすることができる。
【発明を実施するための最良の形態】
【００１３】
まず、本発明の第１実施形態にかかるヘアカッターについて図１〜２及び図１５を参照して説明する。
このヘアカッターにおいては、櫛部２と刃体３とを有する櫛頭部１が把持柄４に対し分離して設けられている。この櫛部２と把持柄４とはプラスチックにより一体的に成形されている。この櫛部２において、複数の櫛歯５は、取付部６の左側から略直角に突出し、互いにヘア挿入空間７をあけて取付部６の長手方向Ｘ６に沿って並設されている。この刃体３は薄い板状の刃板からなる。この各櫛歯５は刃体３を挟着する薄い板状の歯板８を有している。ヘア挿入空間７は互いに隣接する両櫛歯５の歯板８間に設けられている。この各歯板８で厚み方向の両側面８ａは各歯板８の並設方向Ｘ８に対し傾斜している。この各歯板８の並設方向Ｘ８は把持柄４の長手方向Ｘ４や取付部６の長手方向Ｘ６に沿う。把持柄４の頭端部４ａには袋部９（着脱連結部）が形成されている。櫛頭部１で櫛部２の取付部６に形成された連結脚１０（着脱連結部）がこの袋部９に挿嵌されて止めねじ１１（着脱連結部）により着脱可能に取着されている。この止めねじ１１を緩めると、袋部９から連結脚１０を抜いて櫛頭部１を把持柄４から分離させることができる。櫛頭部１と把持柄４とは一体的に成形してもよい。櫛部２において、取付部６と各櫛歯５とは成形時に一体的に組み付けられているが、取付部６と各櫛歯５とを互いに分離して成形した後に各櫛歯５を取付部６に組み付けてもよい。刃体３は各櫛歯５の成形時に歯板８内で一体的に挟着されているが、各櫛歯５を成形した後に刃体３を歯板８内に組み付けてもよい。刃体３の刃縁３ａについては、直線状に形成されているが、若干凸状に膨らむように形成したり、若干凹状に凹むように形成してもよい。
【００１４】
前記各櫛歯５において、取付部６の左側から突出する基端部５ａから先端部５ｂにわたりヘア挿入空間７に隣接して延びる上下両端縁部のうち把持柄４に近い側の下側端縁部には、ヘア挿入空間７に隣接して突出する複数の補助歯１２が基端部５ａから先端部５ｂにわたる方向で互いに隙間Ｓをあけて並設されている。前記刃体３の刃縁３ａは、この各補助歯１２により被覆され、互いに隣接する両補助歯１２間の隙間Ｓで露出している。各補助歯１２には刃縁３ａからヘア挿入空間７に隣接して突出する延設部１２ａが設けられている。各補助歯１２のうち最も先端部５ｂ側の補助歯１２よりも先端部５ｂ側で櫛歯５の下側端縁部には刃縁３ａを覆う被覆部１３が設けられている。各補助歯１２のうち最も基端部５ａ側の補助歯１２よりも基端部５ａ側で櫛歯５の下側端縁部には刃縁３ａを覆う被覆部１４が設けられている。基端部５ａ側の被覆部１４は各補助歯１２と同程度に突出してこの被覆部１４と補助歯１２との間の隙間Ｓで刃縁３ａが露出しているが、先端部５ｂ側の被覆部１３は刃縁３ａを被覆できる程度に極僅かに突出しているだけである。両補助歯１２間の隙間Ｓで互いに隣接する両補助歯１２の延設部１２ａと刃体３の刃縁３ａとの間でヘア挿入凹部１５がヘア挿入空間７に連通するように設けられている。基端部５ａ側の被覆部１４と補助歯１２との間の隙間Ｓでも同様なヘア挿入凹部１５が設けられているが、先端部５ｂ側の被覆部１３と補助歯１２との間では切欠部１６が設けられてその切欠部１６で刃縁３ａが露出している。各補助歯１２の延設部１２ａは、刃体３の刃縁３ａから離間するに従い櫛歯５の先端部５ｂ側へ延びるように刃縁３ａの延設方向Ｙに対し傾斜している。この延設部１２ａにおいて、刃縁３ａの延設方向Ｙに対し直交する方向での突出寸法Ｌは、ヘアカッターのサイズにもよるが、ヘア挿入凹部１５による髪の毛Ｈの保持機能を高めるために、１．５ｍｍ以上４０ｍｍ以下、好ましくは２ｍｍ以上１０ｍｍ以下、さらに好ましくは２．５ｍｍ以上５ｍｍ以下に設定することができる。
【００１５】
図１５に示すように、ヘアカッターを右手に持って刃縁３ａを顔面に向けた状態で各櫛歯５を頭部に当てがうと、櫛歯５の先端部５ｂが頭部に当たり、多数の髪の毛Ｈが櫛歯５の下側端縁部及び刃体３の刃縁３ａに沿って櫛歯５の先端部５ｂから基端部５ａまでヘア挿入空間７に入り込む。そのため、髪の毛Ｈを入り込ませることができるヘア挿入空間７の深さＷが大きくなる。また、ヘア挿入空間７に入り込んだ髪の毛Ｈがヘア挿入空間７から櫛歯５のヘア挿入凹部１５や切欠部１６に分かれて入り込んで保持される。そのヘアカッターを下方へ移動させると、ヘア挿入空間７に入り込んだ髪の毛Ｈの一部を刃縁３ａにより切ることができる。
【００１６】
次に、本発明の第２実施形態にかかるヘアカッターについて第１実施形態との相違点を中心に図３を参照して説明する。
櫛頭部１の櫛部２において取付部６の左右両側にはそれぞれ第１実施形態と同様に複数の櫛歯５が並設されている。そのほか、第１実施形態と比較して、把持柄４及び取付部６の形態や止めねじ１１の位置などを変更している。ヘアカッターを右手ばかりではなく左手に持って刃縁３ａを顔面に向けた状態で各櫛歯５を頭部に当てがうこともできる。
【００１７】
図４に示す第３実施形態のヘアカッターにおいては、各櫛歯５の歯板８で厚み方向の両側面８ａが各歯板８の並設方向Ｘ８に対し直交し、この各櫛歯５の前側端縁部に各補助歯１２が並設されている点で、第１実施形態（図１〜２参照）と異なる。
【００１８】
図５に示す第４実施形態のヘアカッターにおいても、各櫛歯５の歯板８で厚み方向の両側面８ａが各歯板８の並設方向Ｘ８に対し直交し、この各櫛歯５の前側端縁部に各補助歯１２が並設されている点で、第２実施形態（図３参照）と異なる。
【００１９】
図６に示す第５実施形態のヘアカッターにおいては、刃縁３ａの延設方向Ｙに対し直交する両側で各櫛歯５の前側端縁部及び後側端縁部にそれぞれ各補助歯１２が並設されているとともに刃縁３ａが露出している点で、第３実施形態（図４参照）と異なる。ヘアカッターを右手ばかりではなく左手に持って刃縁３ａを顔面に向けた状態で各櫛歯５を頭部に当てがうこともできる。
【００２０】
次に、本発明の第６実施形態にかかるヘアカッターについて第３実施形態（図４参照）との相違点を中心に図７〜８を参照して説明する。
櫛部２において、各櫛歯５を並設した可動部１７が取付部６に対し支軸１８により回動可能に支持されている。この支軸１８の回動中心線１８ａは左右方向へ延びる。この回動中心線１８ａを中心に可動部１７を１８０度回動させると、可動部１７は、図７に示すように各櫛歯５の各補助歯１２及び刃縁３ａが前方を向く状態と、図８に示すように各櫛歯５の各補助歯１２及び刃縁３ａが後方を向く状態とを取り得る。図７に示す状態ではヘアカッターを右手に持って刃縁３ａを顔面に向けた状態で各櫛歯５を頭部に当てがい、図８に示す状態ではヘアカッターを左手に持って刃縁３ａを顔面に向けた状態で各櫛歯５を頭部に当てがう。
【００２１】
次に、本発明の第７実施形態にかかるヘアカッターについて第３実施形態（図４参照）との相違点を中心に図９〜１１を参照して説明する。
櫛部２において、取付部６の左側に着脱凹部６ａが形成され、各櫛歯５を並設した可動部１７がこの取付部６の着脱凹部６ａに対し着脱可能に嵌め込まれて着脱ねじ１９により固定されている。この着脱ねじ１９を緩めて可動部１７を左右方向で１８０度反転させると、可動部１７は、図９に示すように各櫛歯５の各補助歯１２及び刃縁３ａが前方を向く状態と、図１０に示すように各櫛歯５の各補助歯１２及び刃縁３ａが後方を向く状態とを取り得る。図９に示す状態ではヘアカッターを右手に持って刃縁３ａを顔面に向けた状態で各櫛歯５を頭部に当てがい、図１０に示す状態ではヘアカッターを左手に持って刃縁３ａを顔面に向けた状態で各櫛歯５を頭部に当てがう。また、図１１に示すように、図１〜２に示す各櫛歯５と同様な櫛歯５を有する可動部１７に交換することもできる。
【００２２】
図１２に示す第８実施形態のヘアカッターにおいては、各補助歯１２が湾曲して刃縁３ａの延設方向Ｙに対し傾斜している点で、第１実施形態（図２参照）と異なる。
図１３に示す第９実施形態のヘアカッターにおいては、各ヘア挿入凹部１５のうち一つおきのヘア挿入凹部１５で刃縁３ａが被覆部２０により覆われている点で、第１実施形態（図２参照）と異なる。
【００２３】
図１４に示す第１０実施形態のヘアカッターにおいては、各補助歯１２が刃縁３ａの延設方向Ｙに対し傾斜せずに略直交している点で、第１実施形態（２参照）と異なる。
【図面の簡単な説明】
【００２４】
【図１】（ａ）は第１実施形態にかかるヘアカッターにおいて組付状態を示す正面図であり、（ｂ）は（ａ）のヘアカッターの一部を破断して示す部分拡大正面図であり、（ｃ）は（ｂ）のヘアカッターを分解した状態を示す部分拡大正面図である。
【図２】（ａ）は図１（ａ）のヘアカッターの部分拡大左側面図であり、（ｂ）は（ａ）のヘアカッターにおいて一枚の櫛歯を示すＡ矢視部分拡大図である。
【図３】（ａ）は第２実施形態にかかるヘアカッターにおいて部分拡大正面図であり、（ｂ）は（ａ）のヘアカッターの部分拡大左側面図であり、（ｃ）は（ａ）のヘアカッターの部分拡大右側面図である。
【図４】（ａ）は第３実施形態にかかるヘアカッターにおいて部分拡大左側面図であり、（ｂ）は（ａ）のヘアカッターの部分拡大正面図である。
【図５】（ａ）は第４実施形態にかかるヘアカッターにおいて部分拡大正面図であり、（ｂ）は（ａ）のヘアカッターの部分拡左側面図であり、（ｃ）は（ａ）のヘアカッターの部分拡大右側面図である。
【図６】（ａ）は第５実施形態にかかるヘアカッターにおいて図４（ａ）に相当する部分拡大左側面図であり、（ｂ）は図２（ｂ）に相当する一枚の櫛歯を示す部分拡大平面図である。
【図７】（ａ）は第６実施形態にかかるヘアカッターにおいて正面側から見た部分拡大断面図であり、（ｂ）は（ａ）のヘアカッターの部分拡大左側面図である。
【図８】（ａ）は図７のヘアカッターにおいて可動櫛部の位置を変更した状態を示す部分拡大左側面図であり、（ｂ）は（ａ）のヘアカッターを背面側から見た部分拡大断面図である。
【図９】（ａ）は第７実施形態にかかるヘアカッターにおいて正面側から見た部分拡大断面図であり、（ｂ）は（ａ）のヘアカッターの部分拡大左側面図である。
【図１０】（ａ）は図９のヘアカッターにおいて可動櫛部の位置を変更した状態を示す部分拡大左側面図であり、（ｂ）は（ａ）のヘアカッターを背面側から見た部分拡大断面図である。
【図１１】（ａ）は図９のヘアカッターにおいて可動櫛部の種類を変更した状態を正面側から見た部分拡大断面図であり、（ｂ）は（ａ）のヘアカッターの部分拡大左側面図である。
【図１２】第８実施形態にかかるヘアカッターにおいて図２（ｂ）に相当する一枚の櫛歯を示す部分拡大図である。
【図１３】第９実施形態にかかるヘアカッターにおいて図２（ｂ）に相当する一枚の櫛歯を示す部分拡大図である。
【図１４】第１０実施形態にかかるヘアカッターにおいて図２（ｂ）に相当する一枚の櫛歯を示す部分拡大図である。
【図１５】第１実施形態にかかるヘアカッターにおいて各櫛歯を頭部に当てがった使用状態を示す部分断面図である。
【図１６】（ａ）は従来のヘアカッターを示す正面図であり、（ｂ）は従来のヘアカッターの各櫛歯を頭部に当てがった使用状態を示す部分断面図である。
【符号の説明】
【００２５】
１…櫛頭部、２…櫛部、３…刃体、３ａ…刃縁、４…把持柄、５…櫛歯、５ａ…基端部、５ｂ…先端部、６…取付部、７…ヘア挿入空間、８…歯板、８ａ…側面、１２…補助歯、１２ａ…延設部、１５…ヘア挿入凹部１５、１７…可動部、Ｓ…隙間、Ｙ…刃縁の延設方向（櫛歯の基端部から先端部にわたる方向）、Ｘ８…歯板の並設方向。
【図１】
2006280490.tif 000003
【図２】
2006280490.tif 000004
【図３】
2006280490.tif 000005
【図４】
2006280490.tif 000006
【図５】
2006280490.tif 000007
【図６】
2006280490.tif 000008
【図７】
2006280490.tif 000009
【図８】
2006280490.tif 000010
【図９】
2006280490.tif 000011
【図１０】
2006280490.tif 000012
【図１１】
2006280490.tif 000013
【図１２】
2006280490.tif 000014
【図１３】
2006280490.tif 000015
【図１４】
2006280490.tif 000016
【図１５】
2006280490.tif 000017
【図１６】
2006280490.tif 000018